(57)【要約】【課題】液晶表示装置のＭＬＳ駆動において複数ライン反転方式を用いる場合に、液晶用電源電位の変動によって発生する横縞を改善することができる液晶駆動回路を提供する。【解決手段】液晶駆動回路は、供給される表示データに基づいてＭＬＳ駆動における各フィールドの表示データを生成するＭＬＳデコーダと、ＭＬＳデコーダから供給される表示データに基づいて、複数の信号電極にそれぞれ印加される複数のセグメント信号を生成するセグメントドライバと、複数の走査電極にそれぞれ印加される複数のコモン信号を生成するコモンドライバと、コモン信号とセグメント信号との間の電圧の極性を各フィールドにおいて複数のライン毎に反転させると共に、コモン信号の波形における正のパルスの数と負のパルスの数とを２フレーム単位で均一化するように、ＭＬＳデコーダ及びコモンドライバを制御する反転制御手段とを具備する。【選択図】図１
2010054656.tif 000002
【特許請求の範囲】
【請求項１】
複数の信号電極と複数の走査電極とを有する液晶表示装置をＭＬＳ（マルチラインセレクト）駆動方式によって駆動する液晶駆動回路であって、
供給される表示データに基づいてＭＬＳ駆動における各フィールドの表示データを生成するＭＬＳデコーダと、
前記ＭＬＳデコーダから供給される表示データに基づいて、前記液晶表示装置の複数の信号電極にそれぞれ印加される複数のセグメント信号を生成するセグメントドライバと、
前記液晶表示装置の複数の走査電極にそれぞれ印加される複数のコモン信号を生成するコモンドライバと、
コモン信号とセグメント信号との間の電圧の極性を各フィールドにおいて複数のライン毎に反転させると共に、コモン信号の波形における正のパルスの数と負のパルスの数とを２フレーム単位で均一化するように、前記ＭＬＳデコーダ及び前記コモンドライバを制御する反転制御手段と、
を具備する液晶駆動回路。
【請求項２】
前記反転制御手段が、連続する２フレーム間においてコモン信号の波形を反転させるように前記コモンドライバを制御する、請求項１記載の液晶駆動回路。
【請求項３】
前記反転制御手段が、液晶用電源電位が変動した場合に、隣接する２つのライン間において発生する輝度の変動を打ち消すように、前記ＭＬＳデコーダ及び前記コモンドライバを制御する、請求項１又は２記載の液晶駆動回路。
【請求項４】
前記反転制御手段が、
フィールド識別信号に従って、ＭＬＳ駆動における各フィールドのコモン信号の電位を演算し、交流化反転信号に従って、コモン信号の電位が基準電位に対して反転するように前記コモンドライバを制御するコモン出力演算回路と、
コモン信号とセグメント信号との間の電圧の極性を各フィールドにおいて複数のライン毎に反転させると共に、コモン信号の波形における正のパルスの数と負のパルスの数とを２フレーム単位で均一化するように、交流化反転信号を生成し、生成された交流化反転信号を前記コモン出力演算回路及び前記ＭＬＳデコーダに供給するフレーム反転重畳制御回路と、
を含む、請求項１〜３のいずれか１項記載の液晶駆動回路。
【発明の詳細な説明】
【技術分野】
【０００１】
本発明は、一般に、液晶表示装置（ＬＣＤ：Liquid Crystal Display）を駆動するための液晶駆動回路に関し、特に、ＳＴＮ（Super-Twisted Nematic）方式の液晶表示装置を駆動するための液晶駆動回路に関する。
【背景技術】
【０００２】
ＳＴＮ方式は、液晶表示装置における表示方式の１つであり、単純マトリクス方式を用いたものである。ＳＴＮ方式においては、液晶表示装置の信号電極（セグメント電極）と走査電極（コモン電極）とが、液晶駆動回路によって直接駆動される。ＳＴＮ方式の液晶表示装置は、ＴＦＴ（薄膜トランジスタ）を用いるアクティブマトリクス方式の液晶表示装置と比較すると、画面の書換え速度が遅くなるので動画の表示が難しいというデメリットがある反面、製造コストが安いというメリットを有しているので広く用いられている。
【０００３】
モノクロのＳＴＮ液晶表示装置において、ＭＬＳ（マルチラインセレクト）駆動方式が用いられる場合がある。ＭＬＳ駆動方式においては、Ｍ本の走査線が同時に選択されて駆動され（Ｍ≧２）、選択される走査線を変えて行くことによって１フィールドの画像が表示され、Ｍフィールドの画像によって１フレームが構成される。例えば、Ｍ＝４として、６８ラインの液晶表示装置を４ラインＭＬＳ駆動方式によって駆動する場合には、４ラインの同時駆動を１７回行うことによって１フィールド分の６８ラインの画像が表示され、４フィールドの画像によって１フレームが構成される。これにより、１フィールド期間が１フレーム期間の１／４となって、液晶の透過率の時間的変化による輝度の変動が低減される。
【０００４】
関連する技術として、特許文献１には、特に電極数の多い液晶素子でも良好に駆動することができ、しかも表示性能の良い液晶装置が開示されている。この液晶装置は、複数の走査電極及び前記複数の走査電極に交差する複数の信号電極と、前記各走査電極と前記各信号電極との間に挟持された液晶とを備える液晶装置であって、前記複数の走査電極をサブグループに分け、該サブグループ内の前記走査電極が同時に選択され、同時に選択された前記走査電極に、複数の電圧値の組み合わせの走査電圧の波形が時系列的に印加され、表示すべきデータと前記走査電圧の波形とに基づいた信号電圧が前記信号電極に印加され、前記走査電極を同時に選択する前記走査電圧の波形が、１フレーム内で間隔をあけて複数回に分けて印加されることを特徴とする。
【０００５】
また、特許文献２には、駆動電圧レベル数を削減させつつ低消費電力化が図れ、高品位の画像表示が可能な電気光学装置の駆動方法が開示されている。この駆動方法は、複数の走査電極と複数の信号電極が互いに交差配置されてなり、該走査電極を同時に選択する複数の走査電極毎にグループ分けし、グループ単位で順次選択する電気光学装置の駆動方法であって、前記走査電極に印加する電圧振幅と前記信号電極に印加する電圧振幅を同一とすることを特徴とする。
【０００６】
ところで、液晶表示装置に直流電圧を印加し続けると特性が劣化するので、液晶表示装置に印加される電圧の極性を周期的に反転させる必要がある。一般的には、フレーム毎に電圧の極性を反転するフレーム反転方式と、ライン毎に電圧の極性を反転するライン反転方式と、画素毎に電圧の極性を反転するドット反転方式とがある。これらの駆動方式の内で、フレーム反転方式を用いる場合には、信号電極の長手方向におけるクロストークが目立ってしまうので、ＭラインＭＬＳ駆動においては、ＮをＭの倍数として、Ｎライン毎に電圧の極性を反転するＮライン反転方式を用いることが望ましい。
【０００７】
関連する技術として、特許文献３には、消費電力を殆んど増大させることなくクロストーク現象をなくし、高画質品質の液晶テレビを実現可能とする表示パネル駆動方法が開示されている。この表示パネル駆動方法は、複数の走査信号電極と複数の画像信号電極とがマトリクス状に配置され、該両電極の各交点に表示画素が設けられた表示パネルを用い、所要の表示画素に該走査信号電極と該画像信号電極によって電界を加えて表示させる表示パネル駆動方法であって、フレーム期間中、１水平走査期間を最小単位として該印加電界の極性反転を行うことを特徴とする。
【０００８】
しかしながら、外部電源又は内蔵電源が供給されて動作する液晶駆動回路において、何らかの原因によって液晶用電源電位が設定値からずれた場合に、Ｎライン反転の設定によって走査電極駆動信号（コモン信号）の波形に偏りがあると、Ｍライン中に駆動電圧の実効値の差が発生して、Ｍライン単位で繰り返す横縞が発生してしまう。図６は、液晶表示装置の４ラインＭＬＳ駆動において４ライン単位で繰り返す横縞が発生した画面を示す図である。このような横縞は画質の低下をもたらすので、改善が望まれている。
【特許文献１】特許第３５０８１１４号公報（第６−７頁、第２図）
【特許文献２】特開２００４−４６１７号公報（第６頁、図１）
【特許文献３】特開昭５９−２０４８８７号公報（第１、４頁、図１）
【発明の開示】
【発明が解決しようとする課題】
【０００９】
そこで、上記の点に鑑み、本発明は、液晶表示装置のＭＬＳ駆動において複数ライン反転方式を用いる場合に、液晶用電源電位の変動によって発生する横縞を改善することができる液晶駆動回路を提供することを目的とする。
【課題を解決するための手段】
【００１０】
上記課題を解決するため、本発明の１つの観点に係る液晶駆動回路は、複数の信号電極と複数の走査電極とを有する液晶表示装置をＭＬＳ（マルチラインセレクト）駆動方式によって駆動する液晶駆動回路であって、供給される表示データに基づいてＭＬＳ駆動における各フィールドの表示データを生成するＭＬＳデコーダと、ＭＬＳデコーダから供給される表示データに基づいて、液晶表示装置の複数の信号電極にそれぞれ印加される複数のセグメント信号を生成するセグメントドライバと、液晶表示装置の複数の走査電極にそれぞれ印加される複数のコモン信号を生成するコモンドライバと、コモン信号とセグメント信号との間の電圧の極性を各フィールドにおいて複数のライン毎に反転させると共に、コモン信号の波形における正のパルスの数と負のパルスの数とを２フレーム単位で均一化するように、ＭＬＳデコーダ及びコモンドライバを制御する反転制御手段とを具備する。
【００１１】
ここで、反転制御手段が、連続する２フレーム間においてコモン信号の波形を反転させるようにコモンドライバを制御するようにしても良い。また、反転制御手段が、液晶用電源電位が変動した場合に、隣接する２つのライン間において発生する輝度の変動を打ち消すように、ＭＬＳデコーダ及びコモンドライバを制御するようにしても良い。
【００１２】
さらに、反転制御手段が、（ｉ）フィールド識別信号に従って、ＭＬＳ駆動における各フィールドのコモン信号の電位を演算し、交流化反転信号に従って、コモン信号の電位が基準電位に対して反転するようにコモンドライバを制御するコモン出力演算回路と、（ii）コモン信号とセグメント信号との間の電圧の極性を各フィールドにおいて複数のライン毎に反転させると共に、コモン信号の波形における正のパルスの数と負のパルスの数とを２フレーム単位で均一化するように、交流化反転信号を生成し、生成された交流化反転信号をコモン出力演算回路及びＭＬＳデコーダに供給するフレーム反転重畳制御回路とを含むようにしても良い。
【発明の効果】
【００１３】
本発明によれば、コモン信号とセグメント信号との間の電圧の極性を各フィールドにおいて複数のライン毎に反転させると共に、コモン信号の波形における正のパルスの数と負のパルスの数とを２フレーム単位で均一化することにより、液晶用電源電位の変動によって発生する横縞を改善することができる。
【発明を実施するための最良の形態】
【００１４】
以下、本発明の実施形態について、図面を参照しながら詳しく説明する。
図１は、本発明の一実施形態に係る液晶駆動回路の構成を液晶パネルと共に示すブロック図である。この液晶駆動回路は、発振回路１０と、表示タイミング発生回路２０と、表示データＲＡＭ（ＳＲＡＭ）３０と、ラインアドレスデコーダ４０と、表示データラッチ回路５０と、ＭＬＳデコーダ６０と、セグメントドライバ７０と、コモンドライバ８０と、コモンアドレスデコーダ９０と、フレーム反転重畳制御回路１００と、コモン出力演算回路１１０とを有している。
【００１５】
液晶パネル２００は、第１の方向に配列された信号電極Ｘ１〜Ｘｍと、第１の方向と直交する第２の方向に配列された走査電極Ｙ１〜Ｙｎとを有している。信号電極Ｘ１〜Ｘｍには、複数の信号電極駆動信号（セグメント信号）がそれぞれ印加され、走査電極Ｙ１〜Ｙｎには、複数の走査電極駆動信号（コモン信号）がそれぞれ印加される。各画素の液晶には、対応するコモン信号の電位と対応するセグメント信号の電位との差の電圧が印加される。
【００１６】
発振回路１０は、発振動作を行うことにより、クロック信号ＣＬを発生する。表示タイミング発生回路２０は、クロック信号ＣＬに同期して、各種のタイミングを表す信号やアドレス信号を発生する。表示タイミング発生回路２０によって発生されるフレーム識別信号は、フレーム反転重畳制御回路１００に供給される。
【００１７】
表示データＲＡＭ３０には、１フレーム分の表示データが格納されている。ラインアドレスデコーダ４０は、表示タイミング発生回路２０から供給されるラインアドレス信号をデコードすることにより、Ｍライン（１ブロック）分の表示データのアドレスを生成する。ここで、Ｍは、ＭＬＳ（マルチラインセレクト）駆動において同時に駆動されるライン数を表しており、Ｍ≧２である。ラインアドレスデコーダ４０によって生成されたアドレスに従って、表示データＲＡＭ３０からＭライン分の表示データが読み出され、表示データラッチ回路５０にラッチされる。
【００１８】
ＭＬＳデコーダ６０は、表示タイミング発生回路２０から供給されるフィールド識別信号Ｆ１及びＦ２と、フレーム反転重畳制御回路１００から供給される交流化反転信号ＦＲとに従って、表示データラッチ回路５０にラッチされているＭライン分の表示データに基づいてＭＬＳ駆動における各フィールドのＭライン毎の表示データを順次生成する。
【００１９】
ＭＬＳ駆動方式においては、Ｍ本の走査線が同時に選択されて駆動され、選択される走査線を変えて行くことによって１フィールドの画像が表示され、Ｍフィールドの画像によって１フレームが構成される。以下においては、Ｍ＝４として、４ラインＭＬＳ駆動における４種類のフィールドを識別するために２つのフィールド識別信号Ｆ１及びＦ２が用いられる場合について説明する。
【００２０】
セグメントドライバ７０は、表示タイミング発生回路２０から供給されるラッチパルスＬＰに同期して、ＭＬＳデコーダ６０から供給される１ライン分の表示データをラッチし、その表示データに基づいて、例えば、５種類の液晶用電源電位（バイアス電位）Ｖ２、Ｖ１、Ｖｃ、ＭＶ１、ＭＶ２の内の１つを選択することにより、液晶パネル２００の信号電極Ｘ１〜Ｘｍにそれぞれ印加される複数のセグメント信号を生成する。
【００２１】
一方、コモンドライバ８０は、例えば、３種類の液晶用電源電位（バイアス電位）Ｖ３、Ｖｃ、ＭＶ３の内の１つを選択することにより、液晶パネル２００の走査電極Ｙ１〜Ｙｎにそれぞれ印加される複数のコモン信号を生成する。ここで、Ｖｃは基準電位であり、（Ｖ１−Ｖｃ）：（Ｖ２−Ｖｃ）：（Ｖ３−Ｖｃ）＝（Ｖｃ−ＭＶ１）：（Ｖｃ−ＭＶ２）：（Ｖｃ−ＭＶ３）＝１：２：４であるものとする。
【００２２】
コモンアドレスデコーダ９０は、表示タイミング発生回路２０から供給されるコモンアドレス信号をデコードすることにより、Ｍライン分の走査電極を選択するコモンデコード信号を生成して、コモンデコード信号をコモンドライバ８０に供給する。コモンドライバ８０は、ラッチパルスＬＰに同期してコモンデコード信号を受け取り、液晶パネル２００の走査電極Ｙ１〜Ｙｎの内からＭライン分の走査電極を順次選択する。
【００２３】
先に説明したように、液晶パネル２００に直流電圧を印加し続けると特性が劣化するので、液晶パネル２００に印加される電圧の極性を周期的に反転させる必要がある。フレーム反転重畳制御回路１００は、コモン信号とセグメント信号との間の電圧の極性を各フィールドにおいてＮライン毎に反転させると共に、コモン信号の波形における正のパルス（電位Ｖ３）の数と負のパルス（電位ＭＶ３）の数とを２フレーム単位で均一化するように、交流化反転信号ＦＲを生成する。ここで、ＮはＭの倍数であることが望ましく、以下においては、Ｎ＝１２とする。
【００２４】
コモン出力演算回路１１０は、表示タイミング発生回路２０から供給されるフィールド識別信号Ｆ１及びＦ２に従って、ＭＬＳ駆動における各フィールドのコモン信号の電位を演算し、フレーム反転重畳制御回路１００から供給される交流化反転信号ＦＲに従って、コモン信号の電位が基準電位Ｖｃに対して反転するように、コモンドライバ８０を制御する。これにより、選択期間においては、走査電極に液晶用電源電位Ｖ３又はＭＶ３が印加され、非選択期間においては、走査電極に基準電位Ｖｃが印加される。
【００２５】
図２は、同時に選択される４ラインにおけるコモン信号の電位の設定を説明するための図である。図２において、フィールド識別信号Ｆ１及びＦ２の組み合わせ（Ｆ２，Ｆ１）によって、次のように値が定められるものとする。
（１，１）＝３
（１，０）＝２
（０，１）＝１
（０，０）＝０
【００２６】
交流化反転信号ＦＲがハイレベル（Ｈ）である場合に、（Ｆ２，Ｆ１）＝３〜０について、コモン信号ＣＯＭｎ〜ＣＯＭｎ＋３の電位が、図２に示すように設定される（ｎ＝０、１、２、・・・）。また、交流化反転信号ＦＲがローレベル（Ｌ）である場合に、設定されたコモン信号ＣＯＭｎ〜ＣＯＭｎ＋３の電位が、基準電位Ｖｃに対して反転される。
【００２７】
フレーム反転重畳制御回路１００によって生成される交流化反転信号ＦＲは、ＭＬＳデコーダ６０にも供給されており、交流化反転信号ＦＲがローレベルである場合に、ＭＬＳデコーダ６０によって生成される表示データによって表される表示電位も基準電位Ｖｃに対して反転する。
【００２８】
以上において、フレーム反転重畳制御回路１００及びコモン出力演算回路１１０は、液晶パネル２００に印加される電圧の極性の反転を制御する反転制御手段を構成しており、コモン信号とセグメント信号との間の電圧の極性を各フィールドにおいて複数のライン毎に反転させると共に、コモン信号の波形における正のパルス（電位Ｖ３）の数と負のパルス（電位ＭＶ３）の数とを２フレーム単位で均一化するように、ＭＬＳデコーダ６０及びコモンドライバ８０を制御している。その結果、液晶用電源電位（バイアス電位）が変動した場合に、隣接する２つのライン間において発生する輝度の変化を打ち消すように、ＭＬＳデコーダ６０及びコモンドライバ８０が制御される。
【００２９】
次に、従来の液晶駆動回路の動作と本実施形態に係る液晶駆動回路の動作とを比較して説明する。以下においては、６８ラインの液晶パネル２００を４ラインＭＬＳ駆動すると共に、液晶パネル２００に印加される電圧の極性を１２ライン（３ブロック）毎に反転させる場合について説明する。
【００３０】
図３は、従来のライン反転駆動における交流化反転信号の遷移と本発明のライン反転駆動における交流化反転信号の遷移とを比較して示す図である。図３において、「Ｈ」はハイレベルを示し、「Ｌ」はローレベルを示している。交流化反転信号がハイレベルのときに、コモン信号のパルスの極性は正転となり、交流化反転信号がローレベルのときに、コモン信号のパルスの極性は反転となる。
【００３１】
図３の（ａ）は、従来のライン反転駆動における交流化反転信号の遷移を示している。第１フレームの第１フィールドにおいて、コモン信号ＣＯＭ０〜ＣＯＭ６７を生成するために用いられる交流化反転信号のレベルが１２ライン毎に反転している。第１フレームの第１フィールドにおいて最後に交流化反転信号がローレベルとなる期間は８ライン分しかないので、次の第２フィールドにおいて、最初の４ライン分の期間において交流化反転信号がローレベルとなる。このようにして、交流化反転信号の位相がフィールド周期からずれて行き、第４フレームの第１フィールドにおいて最初の位相と等しくなる。
【００３２】
図３の（ｂ）は、本発明の液晶駆動回路におけるライン反転駆動の遷移を示している。第１フレームの第１フィールドにおいて、コモン信号ＣＯＭ０〜ＣＯＭ６７を生成するために用いられる交流化反転信号のレベルが１２ライン毎に反転している。第１フレームの第１フィールドにおいて最後に交流化反転信号がローレベルとなる期間は８ライン分しかないので、次の第２フィールドにおいて、最初の４ライン分の期間において交流化反転信号がローレベルとなる。ここまでは、従来のライン反転駆動における交流化反転信号と同様である。
【００３３】
本発明の特徴として、コモン信号の波形における正のパルスの数と負のパルスの数とを２フレーム単位で均一化するように交流化反転信号が生成される。例えば、２フレームを１組として、（２ｉ＋１）番目のフレームにおけるコモン信号の波形に対して、（２ｉ＋２）番目のフレームにおけるコモン信号の波形が反転するように、交流化反転信号の位相が２フレーム単位で制御される。そのために、図３の（ｂ）に示すように、連続する２つのフレームにおいて、交流化反転信号のレベルが反転している。
【００３４】
即ち、第２フレームにおいては、第１フレームにおける交流化反転信号のレベルが反転される。その結果、第１フレームと第２フレームとにおいて、コモン信号ＣＯＭ０〜ＣＯＭ６７の波形が反転するので、液晶用電源電位の変動による駆動電圧の変化を打ち消すことができる。一方、第３フレームにおける交流化反転信号の位相は、第１フレームにおける交流化反転信号の位相の継続となる。
【００３５】
再び、第４フレームにおいて、第３フレームにおける交流化反転信号のレベルが反転される。その結果、第３フレームと第４フレームとにおいて、コモン信号ＣＯＭ０〜ＣＯＭ６７の波形が反転するので、液晶用電源電位の変動による駆動電圧の変化を打ち消すことができる。これにより、いかなるＮライン反転駆動が設定されても、コモン信号の波形に偏りが発生しないので、液晶用電源電位の変動によって発生する横縞を改善することができる。
【００３６】
図４Ａは、従来の液晶駆動回路におけるコモン信号とセグメント信号の波形を示す図であり、図４Ｂは、従来の液晶駆動回路におけるコモン信号とセグメント信号との差信号の波形を示す図であり、図４Ｃは、従来の液晶駆動回路において液晶用電源電位が変動した場合のコモン信号とセグメント信号との差信号の波形を示す図である。
【００３７】
図４Ａに示すように、１フィールド毎にコモン信号ＣＯＭ０〜ＣＯＭ３の正又は負のパルスが同時に生成される。図１に示す液晶パネル２００において、走査電極Ｙ１〜Ｙ４が同時に選択されて、走査電極Ｙ１〜Ｙ４にコモン信号ＣＯＭ０〜ＣＯＭ３のパルスがそれぞれ印加された後に、走査電極Ｙ５〜Ｙ８が同時に選択されて、走査電極Ｙ５〜Ｙ８にコモン信号ＣＯＭ４〜ＣＯＭ７のパルスがそれぞれ印加され、このようにして、液晶パネル２００の６８ライン分の走査電極Ｙ１〜Ｙ６８にコモン信号ＣＯＭ０〜ＣＯＭ６７のパルスがそれぞれ印加される。
【００３８】
コモン信号のパルスの極性を１２ライン毎に反転させると、１２フィールド（３フレーム）後に、液晶パネル２００の６８ラインにおけるコモン信号のパルスの極性が最初の状態と等しくなる。従って、図４Ａにおいては、３フレーム分のコモン信号とセグメント信号の波形が示されている。
【００３９】
図４Ｂには、コモン信号とセグメント信号との差信号ＣＯＭ０−ＳＥＧ、ＣＯＭ１−ＳＥＧ、ＣＯＭ２−ＳＥＧ、ＣＯＭ３−ＳＥＧが示されている。コモン信号とセグメント信号との差信号の絶対値を３フレーム期間において積分すると、いずれの差信号についても実効電圧は等しくなる。
【００４０】
一方、図４Ｃには、液晶用電源電位ＭＶ１の値が負の方向にずれた場合におけるコモン信号とセグメント信号との差信号ＣＯＭ０−ＳＥＧ、ＣＯＭ１−ＳＥＧ、ＣＯＭ２−ＳＥＧ、ＣＯＭ３−ＳＥＧが示されている。図４Ｃに斜線で示すように、正常な値からの増加分と減少分とが生じている。
【００４１】
図４Ｃにおいて、１つの選択期間における実効電圧のずれ分をαとし、コモン信号とセグメント信号との差信号の絶対値を３フレーム期間において積分すると、差信号ＣＯＭ０−ＳＥＧについて、増加分は９８αであり、減少分は４αであるので、差し引き９４αの増加となる。差信号ＣＯＭ１−ＳＥＧについても同様である。差信号ＣＯＭ２−ＳＥＧについて、増加分は９７αであり、減少分は５αであるので、差し引き９２αの増加となる。差信号ＣＯＭ３−ＳＥＧについても同様である。このように、同時駆動される４ライン間に濃度の差が発生すると、図６に示すように、４ライン単位で繰り返す横縞が画面に発生してしまう。
【００４２】
図５Ａは、図１に示す液晶駆動回路におけるコモン信号とセグメント信号の波形を示す図であり、図５Ｂは、図１に示す液晶駆動回路におけるコモン信号とセグメント信号との差信号の波形を示す図であり、図５Ｃは、図１に示す液晶駆動回路において液晶用電源電位が変動した場合のコモン信号とセグメント信号との差信号の波形を示す図である。
【００４３】
図５Ａに示すように、１フィールド毎にコモン信号ＣＯＭ０〜ＣＯＭ３の正又は負のパルスが同時に生成される。図１に示す液晶パネル２０において、走査電極Ｙ１〜Ｙ４が同時に選択されて、走査電極Ｙ１〜Ｙ４にコモン信号ＣＯＭ０〜ＣＯＭ３のパルスがそれぞれ印加された後に、走査電極Ｙ５〜Ｙ８が同時に選択されて、走査電極Ｙ５〜Ｙ８にコモン信号ＣＯＭ４〜ＣＯＭ７のパルスがそれぞれ印加され、このようにして、液晶パネル２００の６８ライン分の走査電極Ｙ１〜Ｙ６８にコモン信号ＣＯＭ０〜ＣＯＭ６７のパルスがそれぞれ印加される。
【００４４】
本実施形態においては、連続する２フレーム間においてコモン信号の波形が反転するように、交流化反転信号ＦＲが生成される。従って、図５Ａにおいては、２フレーム分のコモン信号とセグメント信号の波形が示されている。
【００４５】
図５Ｂには、コモン信号とセグメント信号との差信号ＣＯＭ０−ＳＥＧ、ＣＯＭ１−ＳＥＧ、ＣＯＭ２−ＳＥＧ、ＣＯＭ３−ＳＥＧが示されている。コモン信号とセグメント信号との差信号の絶対値を２フレーム期間において積分すると、いずれの差信号についても実効電圧は等しくなる。
【００４６】
一方、図５Ｃには、液晶用電源電位ＭＶ１の値が負の方向にずれた場合におけるコモン信号とセグメント信号との差信号ＣＯＭ０−ＳＥＧ、ＣＯＭ１−ＳＥＧ、ＣＯＭ２−ＳＥＧ、ＣＯＭ３−ＳＥＧが示されている。図５Ｃに斜線で示すように、正常な値からの増加分と減少分とが生じている。
【００４７】
図５Ｃにおいて、１つの選択期間における実効電圧のずれ分をαとし、コモン信号とセグメント信号との差信号の絶対値を２フレーム期間において積分すると、差信号ＣＯＭ０−ＳＥＧについて、増加分は６５αであり、減少分は４αであるので、差し引き６１αの増加となる。差信号ＣＯＭ１−ＳＥＧ、ＣＯＭ２−ＳＥＧ、ＣＯＭ３−ＳＥＧについても同様である。このように、本実施形態によれば、同時駆動される４ライン間に濃度の差が発生しないので、図６に示すような横縞が画面に発生することを防止できる。
【図面の簡単な説明】
【００４８】
【図１】本発明の一実施形態に係る液晶駆動回路の構成を示すブロック図。
【図２】同時に選択される４ラインにおけるコモン信号の電位の設定を説明する図。
【図３】従来と本発明における交流化反転信号の遷移を比較して示す図。
【図４Ａ】従来の液晶駆動回路におけるコモン信号とセグメント信号の波形を示す図。
【図４Ｂ】従来の液晶駆動回路における差信号の波形を示す図。
【図４Ｃ】従来の液晶駆動回路において電源が変動した場合の差信号の波形を示す図。
【図５Ａ】図１に示す回路におけるコモン信号とセグメント信号の波形を示す図。
【図５Ｂ】図１に示す回路における差信号の波形を示す図。
【図５Ｃ】図１に示す回路において電源が変動した場合の差信号の波形を示す図。
【図６】４ラインＭＬＳ駆動において４ライン単位の横縞が発生した画面を示す図。
【符号の説明】
【００４９】
１０  発振回路、  ２０  表示タイミング発生回路、  ３０  表示データＲＡＭ、  ４０  ラインアドレスデコーダ、  ５０  表示データラッチ回路、  ６０  ＭＬＳデコーダ、  ７０  セグメントドライバ、  ８０  コモンドライバ、  ９０  コモンアドレスデコーダ、  １００  フレーム反転重畳制御回路、  １１０  コモン出力演算回路、  ２００  液晶パネル
【図１】
2010054656.tif 000003
【図２】
2010054656.tif 000004
【図４Ａ】
2010054656.tif 000005
【図５Ａ】
2010054656.tif 000006
【図３】
2010054656.tif 000007
【図４Ｂ】
2010054656.tif 000008
【図４Ｃ】
2010054656.tif 000009
【図５Ｂ】
2010054656.tif 000010
【図５Ｃ】
2010054656.tif 000011
【図６】
2010054656.tif 000012